(57)【要約】（ａ）靴ベース部及び、（ｂ）複数枚の互換性カバーからなる靴組立体であって、前記複数枚の互換性カバーの内、何れかのカバーを、組立体を形成する前記靴ベース部に適合することにより、前記靴組立体の外観及び使用環境を変化させることが出来る、互換性履物システム。
2005519661.tif 000002
【特許請求の範囲】
【請求項１】
（ａ）靴ベース部及び、
（ｂ）複数枚の互換性カバーからなる、靴組立体であって、
前記複数枚の互換性カバーの内、何れかのカバーを、組立体を形成する前記靴ベース部に適合することにより、前記靴組立体の外観及び使用環境を変化させることが出来る、
互換性履物システム。
【請求項２】
前記靴ベース部は、底部及び上部から構成されることを特徴とする、請求項１記載の互換性履物システム。
【請求項３】
前記底部には、上方に伸延した周囲リム部が設けられていることを特徴とする、請求項２記載の互換性履物システム。
【請求項４】
前記上方に伸延した周囲リム部には、第一結合部が設けられていることを特徴とする、請求項３記載の互換性履物システム。
【請求項５】
前記互換性カバーには、前記カバーの下周囲に沿う形で第２結合部が設けられていることを特徴とする、請求項４記載の互換性履物システム。
【請求項６】
前記第１結合部は雌であることを特徴とする、請求項５記載の互換性履物システム。
【請求項７】
前記第１結合部は雄であることを特徴とする、請求項６記載の互換性履物システム。
【請求項８】
前記第２結合部は雄であることを特徴とする、請求項７記載の互換性履物システム。
【請求項９】
前記第２結合部は雌であることを特徴とする、請求項８記載の互換性履物システム。
【請求項１０】
前記第１及び第２結合部は、断面が実質的にＶ形状であることを特徴とする、請求項９記載の互換性履物システム。
【請求項１１】
前記Ｖ形状断面を有する結合部には、前記靴ベース部に前記カバーを組み入れる際にスナップフィットを提供し得るように調和突起部及び逃げ部を設けたことを特徴とする、請求項１０記載の互換性履物システム。
【請求項１２】
靴ベース部は、種々の形状及び大きさを有することを特徴とする、請求項１１記載の互換性履物システム。
【請求項１３】
前記カバーは、前記靴ベース部に見合う種々の形状及び大きさを有していることを特徴とする、請求項１２記載の互換性履物システム。
【請求項１４】
前記カバーは、種々の色及び模様を有していることを特徴とする、請求項１３記載の互換性履物システム。
【請求項１５】
前記靴ベース部及び前記カバーは、選択された素材から製造されており、前記選択された素材は、革、帆布、ゴム、プラスチック材若しくは他の合成材を含んでいることを特徴とする、前記請求項いずれかに記載の互換性履物システム。
【請求項１６】
前記カバーのうち少なくとも一枚は、しるし受け入れ部を有していることを特徴とする、前記請求項いずれかに記載の互換性履物システム。
【請求項１７】
前記しるし受け入れ部は、販売促進用のしるしを表示することに適していることを特徴とする、請求項１６記載の互換性履物システム。
【請求項１８】
前記請求項いずれかに記載の前記互換性履物システムを利用することを特徴とする、靴の外観を変える方法。
【発明の詳細な説明】
【技術分野】
【０００１】
本発明は、靴に関するものであり、特に、互換性カバー領域を受け入れることにより、その外観を変化させることが出来る靴に関する。
【背景技術】
【０００２】
履物は、長きに亘って、単なる実用的機能に対して付加的な機能も果たしてきている。特に、子供用、婦人用、スポーツ関連の履物分野では、型、色、飾り物を変化させたいときは、複数のペアの靴を購入しなければならない。更に、履物の型や外観を変化させたい時は、家から離れた場所にいる間は、かさばる別のペアの靴を携帯する必要がある。
【０００３】
本発明は、上記した不都合の少なくとも一点に注意を向け、若しくは、これを改善することを目的とする。
【０００４】
即ち、本発明は、
（ａ）靴ベース部及び、
（ｂ）複数枚の互換性カバーからなる靴組立体であって、
前記複数枚の互換性カバーの内、何れかのカバーを、組立体を形成する前記靴ベース部に適合することにより、前記靴組立体の外観及び使用環境を変化させることが出来る、
互換性履物システムとして構成することが出来る。
【０００５】
また、好ましくは、前記靴ベース部は、底部及び上部から構成される。
【０００６】
また、好ましくは、前記底部には、上方に伸延した周囲リム部が設けられている。
【０００７】
また、好ましくは、前記上方に伸延した周囲リム部には、第一結合部が設けられている。
【０００８】
また、好ましくは、前記互換性カバーには、前記カバーの下周囲に沿う形で第２結合部が設けられている。
【０００９】
また、好ましくは、前記第１結合部は雌である。
【００１０】
また、好ましくは、前記第１結合部は雄である。
【００１１】
また、好ましくは、前記第２結合部は雄である。
【００１２】
また、好ましくは、前記第２結合部は雌である。
【００１３】
また、好ましくは、前記第１及び第２結合部は、断面が実質的にＶ形状である。
【００１４】
また、好ましくは、前記Ｖ形状断面を有する結合部には、前記靴ベース部に前記カバーを組み入れる際にスナップフィットを提供し得るように調和突起部及び逃げ部が設けられている。
【００１５】
また、好ましくは、靴ベース部は、種々の形状及び大きさを有する。
【００１６】
また、好ましくは、前記カバーは、前記靴ベース部に見合う種々の形状及び大きさを有している。
【００１７】
また、好ましくは、前記カバーは、種々の色及び模様を有している。
【００１８】
また、好ましくは、前記靴ベース部及び前記カバーは、選択された素材から製造されており、前記選択された素材は、革、帆布、ゴム、プラスチック材若しくは他の合成材を含んでいる。
【００１９】
また、好ましくは、前記カバーのうち少なくとも一枚は、しるし受け入れ部を有している。
【００２０】
また、好ましくは、前記しるし受け入れ部は、販売促進用のしるしを表示することに適している。
【００２１】
また、本発明は、いずれかの請求項記載の互換性履物システムを利用することからなる、靴の外観を変える方法として構成することが出来る。
【発明の開示】
【００２２】
本発明の実施例を、添付した図面を参照しながら説明する。
【００２３】
本発明による、互換性履物システムの第一の好ましい実施例を、図１及び図２を参照して説明する。
【００２４】
靴ベース部１０には、底部１１及び上部１２が設けられている。底部１１には、更に、その周囲に、上方に伸延したリム部１３が設けられている。底部１１及び上部１２は、革、帆布、ゴム、プラスチック及び他の合成素材等の、従来の靴材料から構成することが出来る。
【００２５】
好ましくは、リム部１３は、成形した弾性材料から形成され、第一結合部１４を構成する。
【００２６】
図２に示すように、靴カバー１５は、その下面１６が開放した覆いから構成され、下部周囲１７の周りに第２結合部１８が形成されている。カバー１５は、第１結合部材１４及び第２結合部材１８が係合することにより靴ベース部１０の上部１２上を滑るように動き、これにより靴ベース部１０上にカバー１５が保持されるようになっている。
【００２７】
図３は、結合部１４及び１８の好ましい実施例を示しており、該係合部においては、靴ベース部の底部１１の周囲リム部１３には、雌成形係合手段１９が設けられており、カバー１５の下周囲部１７には、成形雄係合手段２０が形成されている。
【００２８】
図３に示す実施例においては、底部の雌係合手段１９には、実質的にＶ字型の断面２１が形成されており、該断面２１には該Ｖ字の内面に沿う形で突起部２２及び逃げ部２３が形成されている。上部１５の雄係合手段２０には、底部の雌係合手段１９の突起部２２及び逃げ部２３が、上部の雄係合手段の逃げ部２６及び突起部２５とスナップフィットで係合し得るように、突起部２５及び逃げ部２６を有する、Ｖ形状調和断面２４が設けられている。
【００２９】
好ましくは、下部周囲１７に防水弁２７を設けて、係合手段への水の進入を防ぐとよい。
【００３０】
好ましくは、靴ベース部１０には、カバーを追加して装着するための台しか持たない簡単な構造の上部１２を設けるとよい。更に、靴ベース部１０の上部１２は、特別な外観とすることも出来るし、使用環境に適合させることも可能である。
【００３１】
他の好ましい実施例においては、カバーに、ロゴ若しくはこれとは異なる所有者のしるし、又はイニシアルを付けることで、使用者の関心や嗜好を反映するとよい。
【００３２】
使用にあたっては、ベースとなる靴に合うようにカバーの大きさ及び形状を調整する。使用者は、一対のベース靴を、カバー無しで購入することも出来るし、１枚以上のカバーと共に購入することも出来る。更にカバーが必要ならば追って購入可能である。
【００３３】
上記記述は靴に言及しているが、本発明のコンセプトは、ブーツや、ある一定の形状を有するサンダル等、別の形状を有する履物に適用することが出来るのは勿論である。
【００３４】
上記記載は、幾つかの実施例に言及しているだけだが、この技術における熟練者にとって明らかな改良は、本発明の範囲及び真意の範囲内で適用することが出来る。
【図面の簡単な説明】
【００３５】
【図１】図１は、本発明の実施例による靴ベース部の側面図である。
【図２】図２は、本発明の好ましい実施例による靴カバーの側面図である。
【図３】図３は、本発明の好ましい実施例による、靴ベース部とカバー間の係合システムを示す断面図の詳細である。
【図１】
2005519661.tif 000003
【図２】
2005519661.tif 000004
【図３】
2005519661.tif 000005
【国際調査報告】
2005519661.tif 000006
2005519661.tif 000007
2005519661.tif 000008